(57)【要約】【課題】メモリカードの種類またはポート番号が増大してもユーザの操作負荷が増大しないようにすることができるようにする。【解決手段】可搬性メディアの種別またはポート番号を識別して印刷設定情報と関連付けて、関連付けされた印刷設定情報をワークメモリ１０８に記憶し、記憶されている印刷設定情報に基づいて文書データを印刷するようにし、さらに、スキャンされた文書データを可搬メディアに保存する際に、プリントチケットも作成するようにして、可搬性メディアの種別によって別々に印刷設定を行うことができるとともに、印刷する文書データのジョブチケットを反映させることができるようにする。【選択図】図１
2008259066.tif 000002
【特許請求の範囲】
【請求項１】
可搬性メディアを接続する１つ以上の接続ポートを有する画像形成装置であって、
前記接続ポートの何れかに接続されている可搬性メディアの種別を識別する可搬性メディア識別手段と、
前記可搬性メディア識別手段によって識別された可搬性メディアの種別と、前記可搬性メディアに記憶されている文書データを印刷するための印刷設定情報とを関連付ける印刷設定情報関連付け手段と、
前記印刷設定情報関連付け手段によって前記可搬性メディアの種別と関連付けされた印刷設定情報を記憶装置に記憶する記憶手段と、
前記接続ポートの何れかに接続されている可搬性メディアに記憶されている文書データを印刷する際に、前記印刷設定情報関連付け手段によって関連付けされた印刷設定情報を前記記憶装置から取得する取得手段と、
前記取得手段によって取得された印刷設定情報に基づいて、前記可搬性メディアに記憶されている文書データを印刷する印刷手段とを備えることを特徴とする画像形成装置。
【請求項２】
可搬性メディアを接続する１つ以上の接続ポートを有する画像形成装置であって、
前記接続ポートの何れかに接続されている可搬性メディアのポート番号を識別する接続ポート識別手段と、
前記接続ポート識別手段によって識別されたポート番号と、前記可搬性メディアに記憶されている文書データを印刷するための印刷設定情報とを関連付ける印刷設定情報関連付け手段と、
前記印刷設定情報関連付け手段によって前記ポート番号と関連付けされた印刷設定情報を記憶装置に記憶する記憶手段と、
前記接続ポートの何れかに接続されている可搬性メディアに記憶されている文書データを印刷する際に、前記印刷設定情報関連付け手段によって関連付けされた印刷設定情報を前記記憶装置から取得する取得手段と、
前記取得手段によって取得された印刷設定情報に基づいて、前記可搬性メディアに記憶されている文書データを印刷する印刷手段とを備えることを特徴とする画像形成装置。
【請求項３】
前記記憶装置に記憶されている印刷設定情報を前記文書データのプリントチケットとして、前記可搬性メディアに保存するプリントチケット保存手段を備えることを特徴とする請求項１または２に記載の画像形成装置。
【請求項４】
前記プリントチケット保存手段は、前記画像形成装置に接続されているスキャナから読み取った文書データを前記プリントチケットとともに前記可搬性メディアに保存することを特徴とする請求項３に記載の画像形成装置。
【請求項５】
前記取得手段は、前記可搬性メディアに前記文書データのプリントチケットが存在する場合には、前記記憶装置の代わりに、前記プリントチケットから印刷設定情報を取得し、
前記印刷手段は、前記取得手段によって前記プリントチケットから取得された印刷設定情報に基づいて、前記文書データを印刷することを特徴とする請求項３または４に記載の画像形成装置。
【請求項６】
可搬性メディアを接続する１つ以上の接続ポートを有する画像形成装置の制御方法であって、
前記接続ポートの何れかに接続されている可搬性メディアの種別を識別する可搬性メディア識別工程と、
前記可搬性メディア識別工程において識別した可搬性メディアの種別と、前記可搬性メディアに記憶されている文書データを印刷するための印刷設定情報とを関連付ける印刷設定情報関連付け工程と、
前記印刷設定情報関連付け工程において前記可搬性メディアの種別と関連付けした印刷設定情報を記憶装置に記憶する記憶工程と、
前記接続ポートの何れかに接続されている可搬性メディアに記憶されている文書データを印刷する際に、前記印刷設定情報関連付け工程において関連付けした印刷設定情報を前記記憶装置から取得する取得工程と、
前記取得工程において取得した印刷設定情報に基づいて、前記可搬性メディアに記憶されている文書データを印刷する印刷工程とを備えることを特徴とする画像形成装置の制御方法。
【請求項７】
可搬性メディアを接続する１つ以上の接続ポートを有する画像形成装置の制御方法であって、
前記接続ポートの何れかに接続されている可搬性メディアのポート番号を識別する接続ポート識別工程と、
前記接続ポート識別工程において識別したポート番号と、前記可搬性メディアに記憶されている文書データを印刷するための印刷設定情報とを関連付ける印刷設定情報関連付け工程と、
前記印刷設定情報関連付け工程において前記可搬性メディアの種別と関連付けした印刷設定情報を記憶装置に記憶する記憶工程と、
前記接続ポートの何れかに接続されている可搬性メディアに記憶されている文書データを印刷する際に、前記印刷設定情報関連付け工程において関連付けした印刷設定情報を前記記憶装置から取得する取得工程と、
前記取得工程において取得した印刷設定情報に基づいて、前記可搬性メディアに記憶されている文書データを印刷する印刷工程とを備えることを特徴とする画像形成装置の制御方法。
【請求項８】
前記記憶装置に記憶されている印刷設定情報を前記文書データのプリントチケットとして、前記可搬性メディアに保存するプリントチケット保存工程を備えることを特徴とする請求項６または７に記載の画像形成装置の制御方法。
【請求項９】
前記プリントチケット保存工程においては、前記画像形成装置に接続されているスキャナから読み取った文書データを前記プリントチケットとともに前記可搬性メディアに保存することを特徴とする請求項８に記載の画像形成装置の制御方法。
【請求項１０】
前記取得工程においては、前記可搬性メディアに前記文書データのプリントチケットが存在する場合には、前記記憶装置の代わりに、前記プリントチケットから印刷設定情報を取得し、
前記印刷工程においては、前記取得工程において前記プリントチケットから取得した印刷設定情報に基づいて、前記文書データを印刷することを特徴とする請求項８または９に記載の画像形成装置の制御方法。
【請求項１１】
可搬性メディアを接続する１つ以上の接続ポートを有する画像形成装置の制御方法の各工程をコンピュータに実行させるプログラムであって、
前記接続ポートの何れかに接続されている可搬性メディアの種別を識別する可搬性メディア識別工程と、
前記可搬性メディア識別工程において識別した可搬性メディアの種別と、前記可搬性メディアに記憶されている文書データを印刷するための印刷設定情報とを関連付ける印刷設定情報関連付け工程と、
前記印刷設定情報関連付け工程において前記可搬性メディアの種別と関連付けした印刷設定情報を記憶装置に記憶する記憶工程と、
前記接続ポートの何れかに接続されている可搬性メディアに記憶されている文書データを印刷する際に、前記印刷設定情報関連付け工程において関連付けした印刷設定情報を前記記憶装置から取得する取得工程と、
前記取得工程において取得した印刷設定情報に基づいて、前記可搬性メディアに記憶されている文書データを印刷する印刷工程とをコンピュータに実行させることを特徴とするプログラム。
【請求項１２】
可搬性メディアを接続する１つ以上の接続ポートを有する画像形成装置の制御方法の各工程をコンピュータに実行させるプログラムであって、
前記接続ポートの何れかに接続されている可搬性メディアのポート番号を識別する接続ポート識別工程と、
前記接続ポート識別工程において識別したポート番号と、前記可搬性メディアに記憶されている文書データを印刷するための印刷設定情報とを関連付ける印刷設定情報関連付け工程と、
前記印刷設定情報関連付け工程において前記可搬性メディアの種別と関連付けした印刷設定情報を記憶装置に記憶する記憶工程と、
前記接続ポートの何れかに接続されている可搬性メディアに記憶されている文書データを印刷する際に、前記印刷設定情報関連付け工程において関連付けした印刷設定情報を前記記憶装置から取得する取得工程と、
前記取得工程において取得した印刷設定情報に基づいて、前記可搬性メディアに記憶されている文書データを印刷する印刷工程とをコンピュータに実行させることを特徴とするプログラム。
【請求項１３】
請求項１１または１２に記載のプログラムを記録したことを特徴とするコンピュータ読み取り可能な記録媒体。
【発明の詳細な説明】
【技術分野】
【０００１】
本発明は画像形成装置、画像形成装置の制御方法、プログラム、及び記録媒体に関し、特に、スキャン画像文書を可搬性メディアに記録し、可搬性メディアを画像形成装置本体に接続してメディア内文書を直接印刷するために用いて好適な技術に関する。
【背景技術】
【０００２】
近年、携帯性のよい安価なメモリカード（ＵＳＢメモリ、ＳＤカード、Ｍｉｎｉ−ＳＤカード、ＣＦカード、等）の普及に伴い、Scan To USB（スキャンしたデータをＵＳＢメモリカードに保存）やＵＳＢダイレクト印刷等が盛んに行われている。ＵＳＢダイレクト印刷の場合、ユーザがＵＳＢメモリスティックをプリンタのＵＳＢポートに直接挿入すると、ＵＳＢメモリがマウント（認識）される。そして、ＵＳＢメモリ内に格納されている印刷可能な文書データをプリンタがリストアップし、どの文書データを印刷するかをユーザに選択させる。
【０００３】
プリンタのデフォルト設定を用いてユーザが選択した文書データの印刷設定（用紙タイプ、用紙サイズ、モノクロモード、ディザパターン、Nup等）を行う場合は、パネル操作を特に行う必要がない。ところが、プリンタのデフォルト設定を用いない場合は、ユーザがプリンタパネルを操作して印刷設定項目の設定をいちいち行う必要がある。しかし、操作に不慣れなユーザが多々あるので、プリンタパネルを操作して印刷設定項目の設定を行うのは困難な作業であった。ましてや、ＳＦＰ（シングルファンクションプリンタ）のような小さいＬＣＤが搭載された操作性の低い印刷装置を用いる場合は、経験の豊富なユーザでも操作負荷が大きい作業であった。以上のことを考えると、ダイレクト印刷機能を用いて所望する印刷設定を行うことは、ユーザにとって容易ではない。
【０００４】
一方、画像形成装置で受信したメールを印刷する場合に、メールスロットの番号やメールアドレスによって、別々の印刷設定を行うことができる技術が開示されている（例えば、特許文献１を参照）。これにより、大量の受信メールを印刷する時に、ユーザのデバイスパネル操作負荷を低減することができる。
【０００５】
また、ホストコンピュータにおいて、Windows（登録商標）のようなＯＳを搭載したプリンタドライバが存在し、ユーザフレンドリーなＵＩ画面で操作することにより簡単に印刷設定を行うことができるものもある。さらに、Hot Folderのような便利な印刷設定ツールを利用すれば、プリンタドライバが存在しなくても、個々の印刷文書に対して印刷設定を行わずにすむ。すなわち、マウスで印刷文書を所定のフォルダにDrag & Dropするだけで、当該フォルダ毎に異なる印刷機能を利用して印刷文書を出力することができる技術も開示されている（例えば、特許文献２を参照）。
【０００６】
【特許文献１】特開２００３−４６６９０号公報
【特許文献２】特開２００５−２４２７８１号公報
【発明の開示】
【発明が解決しようとする課題】
【０００７】
しかしながら、近年、メモリカードの種類が多くなるに従って、複数のメモリカードと接続可能な印刷装置が増えてきた。このような印刷装置を用いて印刷を行う場合、メモリカードが多くなるとメモリカードの種類またはポート番号が多くなり、印刷設定の管理が複雑化してしまい、印刷時にユーザに与える操作負荷が大きくなってしまう問題点があった。
【０００８】
本発明は前述の問題点に鑑み、メモリカードの種類またはポート番号が増大してもユーザの操作負荷が増大しないようにすることができるようにすることを目的としている。
【課題を解決するための手段】
【０００９】
本発明の画像形成装置は、可搬性メディアを接続する１つ以上の接続ポートを有する画像形成装置であって、前記接続ポートの何れかに接続されている可搬性メディアの種別を識別する可搬性メディア識別手段と、前記可搬性メディア識別手段によって識別された可搬性メディアの種別と、前記可搬性メディアに記憶されている文書データを印刷するための印刷設定情報とを関連付ける印刷設定情報関連付け手段と、前記印刷設定情報関連付け手段によって前記可搬性メディアの種別と関連付けされた印刷設定情報を記憶装置に記憶する記憶手段と、前記接続ポートの何れかに接続されている可搬性メディアに記憶されている文書データを印刷する際に、前記印刷設定情報関連付け手段によって関連付けされた印刷設定情報を前記記憶装置から取得する取得手段と、前記取得手段によって取得された印刷設定情報に基づいて、前記可搬性メディアに記憶されている文書データを印刷する印刷手段とを備えることを特徴とする。
また、本発明の画像形成装置の他の特徴とするところは、可搬性メディアを接続する１つ以上の接続ポートを有する画像形成装置であって、前記接続ポートの何れかに接続されている可搬性メディアのポート番号を識別する接続ポート識別手段と、前記接続ポート識別手段によって識別されたポート番号と、前記可搬性メディアに記憶されている文書データを印刷するための印刷設定情報とを関連付ける印刷設定情報関連付け手段と、前記印刷設定情報関連付け手段によって前記ポート番号と関連付けされた印刷設定情報を記憶装置に記憶する記憶手段と、前記接続ポートの何れかに接続されている可搬性メディアに記憶されている文書データを印刷する際に、前記印刷設定情報関連付け手段によって関連付けされた印刷設定情報を前記記憶装置から取得する取得手段と、前記取得手段によって取得された印刷設定情報に基づいて、前記可搬性メディアに記憶されている文書データを印刷する印刷手段とを備えることを特徴とする。
【００１０】
本発明の画像形成装置の制御方法は、可搬性メディアを接続する１つ以上の接続ポートを有する画像形成装置の制御方法であって、前記接続ポートの何れかに接続されている可搬性メディアの種別を識別する可搬性メディア識別工程と、前記可搬性メディア識別工程において識別した可搬性メディアの種別と、前記可搬性メディアに記憶されている文書データを印刷するための印刷設定情報とを関連付ける印刷設定情報関連付け工程と、前記印刷設定情報関連付け工程において前記可搬性メディアの種別と関連付けした印刷設定情報を記憶装置に記憶する記憶工程と、前記接続ポートの何れかに接続されている可搬性メディアに記憶されている文書データを印刷する際に、前記印刷設定情報関連付け工程において関連付けした印刷設定情報を前記記憶装置から取得する取得工程と、前記取得工程において取得した印刷設定情報に基づいて、前記可搬性メディアに記憶されている文書データを印刷する印刷工程とを備えることを特徴とする。
また、本発明の画像形成装置の制御方法の他の特徴とするところは、可搬性メディアを接続する１つ以上の接続ポートを有する画像形成装置の制御方法であって、前記接続ポートの何れかに接続されている可搬性メディアのポート番号を識別する接続ポート識別工程と、前記接続ポート識別工程において識別したポート番号と、前記可搬性メディアに記憶されている文書データを印刷するための印刷設定情報とを関連付ける印刷設定情報関連付け工程と、前記印刷設定情報関連付け工程において前記可搬性メディアの種別と関連付けした印刷設定情報を記憶装置に記憶する記憶工程と、前記接続ポートの何れかに接続されている可搬性メディアに記憶されている文書データを印刷する際に、前記印刷設定情報関連付け工程において関連付けした印刷設定情報を前記記憶装置から取得する取得工程と、前記取得工程において取得した印刷設定情報に基づいて、前記可搬性メディアに記憶されている文書データを印刷する印刷工程とを備えることを特徴とする。
【００１１】
本発明のプログラムは、可搬性メディアを接続する１つ以上の接続ポートを有する画像形成装置の制御方法の各工程をコンピュータに実行させるプログラムであって、前記接続ポートの何れかに接続されている可搬性メディアの種別を識別する可搬性メディア識別工程と、前記可搬性メディア識別工程において識別した可搬性メディアの種別と、前記可搬性メディアに記憶されている文書データを印刷するための印刷設定情報とを関連付ける印刷設定情報関連付け工程と、前記印刷設定情報関連付け工程において前記可搬性メディアの種別と関連付けした印刷設定情報を記憶装置に記憶する記憶工程と、前記接続ポートの何れかに接続されている可搬性メディアに記憶されている文書データを印刷する際に、前記印刷設定情報関連付け工程において関連付けした印刷設定情報を前記記憶装置から取得する取得工程と、前記取得工程において取得した印刷設定情報に基づいて、前記可搬性メディアに記憶されている文書データを印刷する印刷工程とをコンピュータに実行させることを特徴とする。
また、本発明のプログラムの他の特徴とするところは、可搬性メディアを接続する１つ以上の接続ポートを有する画像形成装置の制御方法の各工程をコンピュータに実行させるプログラムであって、前記接続ポートの何れかに接続されている可搬性メディアのポート番号を識別する接続ポート識別工程と、前記接続ポート識別工程において識別したポート番号と、前記可搬性メディアに記憶されている文書データを印刷するための印刷設定情報とを関連付ける印刷設定情報関連付け工程と、前記印刷設定情報関連付け工程において前記可搬性メディアの種別と関連付けした印刷設定情報を記憶装置に記憶する記憶工程と、前記接続ポートの何れかに接続されている可搬性メディアに記憶されている文書データを印刷する際に、前記印刷設定情報関連付け工程において関連付けした印刷設定情報を前記記憶装置から取得する取得工程と、前記取得工程において取得した印刷設定情報に基づいて、前記可搬性メディアに記憶されている文書データを印刷する印刷工程とをコンピュータに実行させることを特徴とする。
【００１２】
本発明の記録媒体は、前記の何れかに記載のプログラムを記録したことを特徴とする。
【発明の効果】
【００１３】
本発明によれば、可搬性メディアの種別またはポート番号を識別して印刷設定情報と関連付けて、関連付けされた印刷設定情報を記憶装置に記憶する。そして、記憶されている印刷設定情報に基づいて文書データを印刷するようにした。これにより、可搬性メディアの種別またはポート番号によって印刷設定を別々に行うことができる。したがって、印刷時におけるユーザによる操作の負荷を抑えることが可能となり、高い利便性をユーザに提供することができる。
【発明を実施するための最良の形態】
【００１４】
（第１の実施形態）
以下、本発明の実施形態について、図面に基づいて具体的に説明する。
図１は、本実施形態に係るＭＦＰに分類されている画像形成装置の内部構成例を示すブロック図である。ＭＦＰ（Multi-Function Printer）とは、印刷ジョブを受け付けて画像形成を行うだけでなく、ＡＤＦ（Automatic Document Feeder）のようなドキュメントスキャナが付いている。そして、紙文書の画像をデジタル化する機能も備えている。更に、デジタル化された画像をプリントアウトする機能も有する。なお、近年高機能化が進み、ＦＡＸ送受信・電子メール送受信等Send機能を有するＭＦＰも増えている。
【００１５】
図１において、１００はＭＦＰ（画像形成装置）であり、外部から印刷ジョブを受信して用紙、ＯＨＰフィルム等のシート上に画像形成を行うプリント機能と、原稿の画像を読み取ってシート上に画像形成を行うコピー機能とを有している。さらに、原稿の画像を読み取って外部へファクシミリデータを送信するファクシミリ送信機能と、画像データを外部の装置へ送信するイメージ送信機能とを有している。画像形成装置１００には、通信ネットワーク１を介して例えばパーソナルコンピュータといった情報処理装置２００が接続されている。
【００１６】
情報処理装置２００には、文書、グラフィックス等の電子データを作成するためのアプリケーションプログラムが予めインストールされている。また、通信ネットワーク１を介して画像形成装置１００に処理依頼（印刷ジョブ）を送信するためのドライバプログラム（プリンタドライバ）も予めインストールされている。前記アプリケーションプログラムからプリンタドライバを呼出し、プリンタドライバによって生成された印刷ジョブを画像形成装置１００へ送信することにより、文書、グラフィックス等の印刷出力を実行させることができる。
【００１７】
また、スキャナ３００は、文書、写真等の物理原稿からアナログ画像データを読み取り、デジタル画像データに変換することができる。そして、画像読取制御部１０４、及びＵＳＢカード制御部１２０ａを経由して、ＵＳＢメモリスロット１２０に接続されているＵＳＢメモリカード１２１に保存できるようにしている。なお、ＵＳＢなどインタフェースの接続端子（スロット）のことを接続ポートとも呼ぶ。
【００１８】
さらに、本実施形態に係る画像形成装置１００は、可搬性メモリであるＵＳＢメモリカード１２１に記録された容量不足回避シナリオ情報を読み出すことができる。読み出した容量不足回避シナリオ情報をＵＳＢカード制御部１２０ａを経由して画像形成装置１００のワークメモリ１０８に格納する。そして、ＵＳＢメモリカード１２１に保存する時に容量が不足した場合に、制御部１０１は、前述した通りに容量不足回避シナリオ情報を読み出して回避処理を行わせる。
【００１９】
以下、画像形成装置１００の制御系の構成について説明する。
画像形成装置１００は制御部１０１を備えており、制御部１０１がバス１０２を介して接続された各種のハードウェアを制御することにより、全体として本実施形態の画像形成装置として機能させる。そのため、制御部１０１は、ＣＰＵ、各種ハードウェアを制御するための制御プログラムを予め格納したＲＯＭ、及び前記制御プログラムの実行中に生成されるデータを一時的に記憶するＲＡＭ等を備えている。また、本実施形態では、制御部１０１は、可搬性メディア識別手段と、印刷設定情報関連付け手段と、記憶手段と、取得手段として機能する。
【００２０】
操作パネル１０３は、利用者の動作指示を受け付ける操作部１０３ａと利用者に対して通知すべき情報を表示する表示部１０３ｂとから構成されている。操作部１０３ａは、利用者の動作指示を受け付けるための各種操作キーを備えており、プリント枚数、コピー濃度、スキャンモード（モノクロ、カラー）、スキャン解像度等の各機能における設定値、各機能の切り替え操作、入出力開始指示等の指示を受け付ける。
【００２１】
表示部１０３ｂは、液晶ディスプレイを備えており、画像形成装置１００の動作状況や、操作部１０３ａを介して入力された各種の設定値や、利用者に対して通知すべき情報等を表示する。また、表示部１０３ｂの一部には各種の選択操作を受け付けるように構成したタッチパネル方式のソフトウェアキーを備えている。
【００２２】
スキャナ３００は、読取用の原稿に光を照射する光源、ＣＣＤ（Charge Coupled Device）のようなイメージセンサ、ＡＤ変換器等を備えている。そして、所定の読み取り位置にセットされた原稿の画像を当該イメージセンサに結像させてアナログ電気信号に変換し、得られたアナログ電気信号をＡＤ変換器によりＡＤ変換する。そして、ＡＤ変換して得られたデジタル信号に対して、原稿読取時の光源の配光特性、イメージセンサの感度ムラ等の補正を施すことによりデジタル形式のデジタル画像データを生成する。
【００２３】
画像読取制御部１０４は、スキャナ３００の動作の開始及び終了を制御したり、スキャンした時のパラメータや、デジタル画像データをワークメモリ１０８へ転送する処理などを制御したりする。また、変換されたデジタル画像データを複写する場合は、画像形成部１０５に転送する。また、ＵＳＢメモリカード１２１に保存する場合は、ワークメモリ１０８、及びＵＳＢカード制御部１２０ａに転送する。
【００２４】
画像形成部１０５は印刷手段として機能し、例えば、感光体ドラムを所定の電位に帯電させる帯電器と、外部から受け付けた画像データに応じてレーザ光を発して感光体ドラム上に静電潜像を生成させるレーザ書込装置とを備えている。さらに、感光体ドラム表面に形成された静電潜像にトナーを供給して顕像化する現像器、感光体ドラム表面に形成されたトナー像を用紙上に転写する転写器等を備えており、電子写真方式にて利用者が所望する画像を用紙上に形成する。なお、本実施形態では、電子写真方式の画像形成部１０５を備える構成としたが、インクジェット方式、熱転写方式、昇華方式の画像形成部を備える構成であってもよい。
【００２５】
通信インタフェース１０９を介して情報処理装置２００から転送されるＰＤＬジョブ、及び画像ファイルは画像形成装置１００内でビットマップデータに展開される。その後、プリンタエンジンに転送される前に、前記ビットマップデータは画像メモリ１０６に一時格納される。画像メモリ１０６は半導体メモリにより構成されており、画像メモリ１０６に一時的に記憶された画像データは、制御部１０１の指示によりその利用目的に応じた転送先に転送される。
【００２６】
ＵＳＢメモリスロット１２０は、ＵＳＢメモリカード１２１を装着するための手段である。また、装着の有無を検出するための検出回路と、装着されたＵＳＢメモリカード１２１に対してデータの読み出し処理及び書き込み処理を実行するインタフェース回路とを備えるＵＳＢカード制御部１２０ａを搭載している。ＵＳＢカード制御部１２０ａを介して読み出したデータ及び書き込むデータは、揮発性のメモリであるワークメモリ１０８に一時的に保持される。
【００２７】
同様に、ＳＤメモリスロット１３０は、ＳＤメモリカード１３１を装着するための手段である。また、装着の有無を検出するための検出回路と、装着されたＳＤメモリカード１３１に対してデータの読み出し処理及び書き込み処理を実行するインタフェース回路とを備えるＳＤカード制御部１３０ａを搭載している。ＳＤカード制御部１３０ａを介して読み出したデータ及び書き込むデータは、揮発性のメモリであるワークメモリ１０８に一時的に保持される。
【００２８】
同様に、ＣＦメモリスロット１４０は、ＣＦメモリカード１４１を装着するための手段である。また、装着の有無を検出するための検出回路と、装着されたＣＦメモリカード１４１に対してデータの読み出し処理及び書き込み処理を実行するインタフェース回路とを備えるＣＦカード制御部１４０ａを搭載している。ＣＦカード制御部１４０ａを介して読み出したデータ及び書き込むデータは、揮発性のメモリであるワークメモリ１０８に一時的に保持される。
【００２９】
通信インタフェース１０９は、通信ネットワーク１の通信規格に準拠したインタフェースであり、当該通信ネットワーク１に接続された情報処理装置２００から印刷ジョブを受信するとともに、情報処理装置２００へ通知すべき情報を送信する。通信インタフェース１０９ではこのような各種データの送受信の制御を行う。
【００３０】
以下、画像形成装置１００が実行する処理をフローチャート及び表示部１０３ｂに表示される画面例を参照しながら説明する。図２に示す対応表は、可搬性メモリの種別毎に関連付けられている印刷設定を示している。
【００３１】
図２において、第１コラム「メモリ種別」は画像形成装置本体に付属されている可搬性メモリカードの種別を表す。また、第２以降のコラムは印刷設定の設定内容を表す。この設定は画像形成装置１００を出荷する時に工場モードとしてプリセットしてもよく、出荷後、ユーザの好みによって画像形成装置１００の操作部１０３ａにて任意にカスタマイズできるようにしてもよい。
【００３２】
なお、図２に示す関連付け情報は、印刷設定情報関連付け手段により可搬性メディアの種別と関連付けされて画像形成装置１００の永久性記憶装置（ハードディスク等）に保存する。このようにして、画像形成装置１００の電源状態がＯＦＦの場合でも消えないようにする。さらに、画像形成装置１００を起動する時は、永久性記憶装置から、より高速の記憶装置（ワークメモリ１０８）に関連付け情報を記憶させる。また、ユーザの操作により関連付け情報が更新された時は、更新情報を前記永久性記憶装置またはワークメモリ１０８に記憶させるようにしている。
【００３３】
図３に示すフローチャートは、スキャナ３００から紙文書を読み取って、デジタル化されたデジタル画像データを可搬性メモリカードに保存する場合の処理手順の一例を示している。
図３のステップＳ１０１において、画像読取制御部１０４は、ユーザによりスキャナ３００の原稿台に紙原稿が載せられ、スキャン解像度、画像輝度、保存文書用フォーマット等のパラメータが指定され、スタートボタンが押下されたか否かを判定する。
【００３４】
この判定の結果、スタートボタンが押下されていない場合は、押下されるまで待機する。一方、ステップＳ１０１の判定の結果、スタートボタンが押下された場合は、スキャナ３００でスキャン動作が開始される。この時、スキャナ３００においては、１ページの原稿スキャンが完了したら、図示しないＡＤＦ装置が自動的に次のページを原稿台に載せてスキャン処理を続ける。そして、ステップＳ１０２において、画像読取制御部１０４は、すべての原稿ページのスキャンの完了を検知したか否かを判断する。
【００３５】
この判断の結果、スキャンの完了を検知していない場合は、スキャンの完了を検知するまで待機する。一方、ステップＳ１０２の判断の結果、スキャンの完了を検知した場合は、ステップＳ１０３において、制御部１０１の制御により、接続中の可搬メモリカードを検出したか否かを判断する。この判断の結果、画像形成装置１００と接続中の可搬メモリカードを検出できない場合は、ステップＳ１０４において、制御部１０１の制御により、図４に示すようなメッセージを表示部１０３ｂに表示し、ユーザに対してメモリカードの挿入を促す。そして、ステップＳ１０３に戻る。
【００３６】
一方、ステップＳ１０３の判断の結果、画像形成装置１００と接続中の可搬メモリカードを検出した場合は、ステップＳ１０５において、検出された可搬メモリカードの種別を識別する。この時、どのメモリスロットに可搬メモリカードが挿入されているかを認識することによって識別することができる。
【００３７】
また、複数のメモリカードを同時に検出した場合は、スキャン文書のデジタル画像データをどのメモリカードに保存するかを操作パネル１０３にてユーザに確認させるようにすることもできる。本実施形態では、制御部１０１の制御により、ＵＳＢメモリスロット１２０に挿入されたＵＳＢメモリカードを検出したものとする。
【００３８】
次に、ステップＳ１０６において、制御部１０１の制御により、ステップＳ１０５において検出したＵＳＢメモリ種別情報に基づいて、ワークメモリ１０８に記憶されている図２に示す関連付け表から該当するメモリ種別の印刷設定情報を取得する。本実施形態では、図２に示す表の第１行の内容の印刷設定情報を取得する。すなわち、カラーモード＝カラー、印刷レイアウト＝製本、解像度＝1200 dpi、用紙サイズ＝Ａ３、用紙タイプ＝厚紙という情報を取得する。次に、ステップＳ１０７において、制御部１０１の制御により、ステップＳ１０６で取得した印刷設定情報をＸＭＬフォーマットのプリントチケットに変換する。変換結果の一例として、図５に示す。
【００３９】
次に、ステップＳ１０８において、ＵＳＢカード制御部１２０ａは、スキャン文書のデジタル画像データとステップＳ１０７で生成したプリントチケットとをＵＳＢメモリスロット１２０に挿入されているＵＳＢメモリカード１２１に保存する。本実施形態では、ＵＳＢカード制御部１２０ａはプリントチケット保存手段として機能し、プリントチケットをスキャン文書の基本名同名＋拡張子「.ＰＴ」で保存する。
【００４０】
また、プリントチケットを内包するフォーマットを用いる場合は、単独ファイルの代わりにスキャン文書のデジタル画像データにプリントチケットを内包させることも可能である。また、１つのスキャン文書に対して１つのプリントチケットを作成するのではなく、１つのフォルダに対して１つのプリントチケットを作成するようにしてもよい。
【００４１】
次に、ステップＳ１０９において、画像読取制御部１０４は、他の文書のスキャン処理があるか否かを判断する。この判断の結果、他の文書のスキャン処理がある場合は、ステップＳ１０２に戻り、処理を繰り返す。一方、ステップＳ１０９の判断の結果、他の文書のスキャン処理がない場合は、処理を終了する。
【００４２】
図６は、本実施形態において、メモリカードから画像データを読み出してダイレクトに印刷する時の処理手順の一例を示すフローチャートである。
図６において、処理が開始されると、ステップＳ２０１において、メモリカードが画像形成装置１００の何れかのメモリスロットに挿入されたか否かを判断する。この判断の結果、何れのメモリスロットにもメモリカードが挿入されていない場合は、メモリカードが挿入されるまで待機する。
【００４３】
一方、ステップＳ２０１の判断の結果、メモリカードが挿入された場合は、ステップＳ２０２において、メモリカード内の印刷可能な文書の画像データをすべてリストアップし、どの文書の画像データを印刷するかをユーザに対して選択させるように促す。本実施形態においては、ＵＳＢメモリカード１２１が挿入され、制御部１０１の制御により、ＵＳＢカード制御部１２０ａが検知したものとして説明する。なお、文書のリストアップ処理においては、プリントチケットをリストアップしないように制御する。また、どの文書の画像データが印刷可能であるかは画像形成装置１００のインタープリッターの搭載状況によるものとする。
【００４４】
例えば、ＰＤＦインタープリッターが搭載されている場合は、拡張子が「.PDF」であるすべての文書の画像データを一覧にリストする。また、逆に、Word文書インタープリッターが搭載されていない場合は、拡張子が「.DOC」である文書の画像データをリストアップしないようにする。なお、リストアップされた文書の画像データの一覧を操作パネル１０３の表示部１０３ｂに表示させ（不図示）、ユーザの操作により操作部１０３ａを介して選択処理を行うようにする。
【００４５】
次に、ステップＳ２０３において、ＵＳＢカード制御部１２０ａは、ユーザにより選択された文書の画像データにプリントチケットが有るか否かを判断する。この判断の結果、プリントチケットがない場合は、ステップＳ２０８において、制御部１０１の制御により、該当するメモリカードと関連付けている印刷設定情報をワークメモリ１０８から取得し、取得した印刷設定情報をプリントチケットに変換する。そして、ＵＳＢカード制御部１２０ａにより、該当するメモリカードに保存する。また、制御部１０１の制御により、取得した印刷設定情報に基づいて印刷設定を行う。
【００４６】
一方、ステップＳ２０３の判断の結果、プリントチケットがある場合は、ステップＳ２０４において、制御部１０１の制御により、プリントチケットの印刷設定情報に基づいて印刷設定を行うかそれとも別途印刷設定を指定するかを判断する。図７は、表示部１０３ｂに表示される確認画面の一例を示す図である。他の印刷設定またはプリントチケット設定を操作パネル１０３においてユーザが修正することができるようにしている。
【００４７】
この判断の結果、プリントチケットの印刷設定情報を用いず別途印刷設定を指定するようにユーザにより指示された場合は、ステップＳ２０７に進む。そして、ステップＳ２０７において、ＵＳＢカード制御部１２０ａは、最終的に新しい印刷設定情報に基づいて、ＵＳＢメモリカード１２１内の該当する文書の画像データのプリントチケットを更新する。また、制御部１０１の制御により、新しい印刷設定情報をワークメモリ１０８に保存し、保存した新しい印刷設定情報に基づいて印刷設定を行う。
【００４８】
一方、ステップＳ２０５の判断の結果、プリントチケットの印刷設定情報に基づいて印刷設定を行うようにユーザにより指示された場合は、ステップＳ２０６において、ＵＳＢカード制御部１２０ａは、プリントチケットから印刷設定情報を読み出す。そして、制御部１０１の制御により、読み出した印刷設定情報に基づいて画像形成装置１００の印刷設定を行う。
【００４９】
例えば、図５に示すようなプリントチケットが指定された場合は、画像形成装置１００の印刷設定を図２の「ＵＳＢメモリ」に該当する設定にする。すなわち、カラーモード＝カラー、印刷レイアウト＝製本、解像度＝1200 dpi、用紙サイズ＝Ａ３、用紙タイプ＝厚紙と設定される。そして、ステップＳ２０９において、画像形成部１０５は、ステップＳ２０８で設定された印刷設定に従い印刷を実行する。結果として文書の画像データがユーザの所望通りの形式に印刷される。
【００５０】
なお、ステップＳ２０４とステップＳ２０７とを省略して、常にプリントチケット指定に従って印刷設定を行うようにしてもよい。さらに、ステップＳ２０８の処理において、メモリ種別と関連付けた印刷設定情報の代わりに、画像形成装置１００のデフォルト印刷設定に従ってプリントチケットを新規作成するようにしてもよい。
【００５１】
また、ステップＳ２０６の処理において、プリントチケットの印刷設定情報と画像形成装置１００の処理能力との違いによって、コンフリクトが起こる可能性がある。例えば、プリントチケットに印字解像度が1200dpiに指定されているが、画像形成装置１００の最大印字解像度が600dpiである場合がある。また、プリントチケットに用紙サイズがＡ３に指定されているが、画像形成装置１００の最大用紙サイズがＡ４である場合もある。
【００５２】
このような場合は、例えば、図８のフローチャートに示すようなコンフリクト回避（印刷設定を丸める）処理が必要となる。そこで、次に、コンフリクト回避処理について詳細に説明する。なお、図８に示すフローチャートでは、カラーモードの丸め処理、及び解像度の丸め処理を行う例について説明する。
【００５３】
図８において、処理が開始されると、ステップＳ３０１において、制御部１０１の制御により、印刷処理を実行する画像形成装置１００の処理能力（Capability）を取得する。次に、ステップＳ３０２において、印刷文書用のプリントチケットを読み出して、印刷設定情報を取得する。
【００５４】
次に、ステップＳ３０３において、制御部１０１の制御により、プリントチケットに印刷モードがカラーと指定されている場合において、画像形成装置１００がカラーモードを有しているか否かを判断する。この判断の結果、カラーモードを有している場合は、ステップＳ３０４において、制御部１０１の制御により、該当文書の印刷モードをカラーモードに設定する。一方、ステップＳ３０３の判断の結果、モノクロモードしか有していない場合は、ステップＳ３０５に進み、制御部１０１の制御により、該当文書の印刷モードをモノクロモードに設定する。
【００５５】
次に、ステップＳ３０６において、制御部１０１の制御により、プリントチケットで指定されている印刷解像度で画像形成装置１００が印刷可能であるか否かを判断する。この判断の結果、印刷可能である場合は、ステップＳ３０７において、制御部１０１の制御により、該当文書の印刷解像度をプリントチケット指定の解像度に設定する。一方、ステップＳ３０６の判断の結果、印刷が不可能である場合は、ステップＳ３０８に進み、制御部１０１の制御により、該当文書の印刷解像度をプリントチケット指定と一番近い画像形成装置１００で設定可能な解像度に設定する。
【００５６】
次に、ステップＳ３０９において、制御部１０１の制御により、その他の丸め処理を行う。なお、その他の丸め処理（他の用紙サイズ丸め処理や、用紙タイプの丸め処理等）についても前記のカラーモード丸め処理及び解像度丸め処理と基本的に同様である。したがって、詳しい説明については割愛する。すべての丸め処理が完了したら、ステップＳ３１０において、制御部１０１の制御により、丸め処理の結果を適応させて印刷設定を行い、処理を終了する。
【００５７】
以上のように本実施形態においては、可搬性メディアの種別を識別して印刷設定情報と関連付けて、関連付けされた印刷設定情報をワークメモリ１０８に記憶し、記憶されている印刷設定情報に基づいて文書データを印刷するようにした。また、スキャンされた文書データを可搬メディアに保存する際に、プリントチケットも作成するようにした。これにより、可搬性メディアの種別によって別々に印刷設定を行うことができるとともに、印刷する文書データのジョブチケットを反映させることができる。したがって、印刷時におけるユーザによる操作の負荷を抑えることができる。
【００５８】
なお、本実施形態においてはＵＳＢメモリカード１２１、ＳＤメモリカード１３１、ＣＦメモリカード１４１を用いる構成とした。ところが、必ずしもこのような構成に限定する必要がなく、他の種類の可搬性メモリカード（例えば、フレキシブルディスク、Ｍｉｎｉ−ＳＤカード、ＣＤ−Ｒ、ＤＶＤ−Ｒのような記録媒体）と組み合わせた構成であってもよい。
【００５９】
また、本実施形態において、ＵＳＢメモリカード１２１をＵＳＢメモリスロット１２０に接続し、ＳＤメモリカード１３１をＳＤメモリスロット１３０に接続し、ＣＦメモリカード１４１をＣＦメモリスロット１４０に直接接続するようにした。一方、可搬性メモリの種類によってはケーブルなどを介して接続するようにしてもよい。また、ＵＳＢ／ＳＤ／ＣＦに代えて、ＩＥＥＥ１３９４バスや、シリアルバス、パラレルバスなどを用いてもよい。さらに、このような有線による接続に限らず、可搬性メモリの種類によっては、電波や赤外線や光や超音波などを介して、無線で接続するようにしてもよい。その場合、Bluetoothや無線ＬＡＮなどを用いることもできる。
【００６０】
（第２の実施形態）
第１の実施形態では、画像形成装置１００と接続可能な可搬性メモリスロットは３つであり、ＵＳＢメモリスロットが１つ、ＳＤメモリスロットが１つ、ＣＦメモリスロットが１つの構成であった。本実施形態では、図９に示すように、２つのＵＳＢメモリスロットを備えている。なお、画像形成装置１００のメモリスロット以外の部分については、図１と同様である。よって、図９には、第１のＵＳＢメモリスロット１５０と、第１のＵＳＢメモリカード１５１と、第２のＵＳＢメモリスロット１６０と、第２のＵＳＢメモリカード１６１の部分のみを図示する。また、本実施形態における第１のＵＳＢメモリスロット１５０と第２のＵＳＢメモリスロット１６０とに関連付けられている印刷設定情報を図１０に示す。また、本実施形態では、制御部１０１は、接続ポート識別手段と、印刷設定情報関連付け手段と、記憶手段と、取得手段として機能する。
【００６１】
図１１は、本実施形態において、スキャナ３００から紙文書を読み取って、デジタル化されたデジタル画像データを可搬性メモリカードに保存する場合の処理手順の一例を示すフローチャートである。処理の基本的な流れは図３と同一であるため、同一の処理については図３と同じ番号を付している。したがって、図３に示すフローチャートと異なる点についてのみ説明する。
【００６２】
ステップＳ４０５において、メモリカードの接続スロットＩＤ（ポート番号）を識別する。そして、ステップＳ４０６において、ワークメモリ１０８に格納されている図１０に示す印刷設定情報の一覧から、メモリカードの接続スロットＩＤと関連付けられている印刷設定情報を取得する。
【００６３】
図１２は、メモリカードから画像データを読み出してダイレクトに印刷する時の処理手順の一例を示すフローチャートである。処理の基本的な流れは図６と同一であるため、同一の処理については図６と同じ番号を付している。したがって、図６に示すフローチャートと異なる点についてのみ説明する。
【００６４】
ステップＳ５０８において、ワークメモリ１０８に格納されている図１０に示す印刷設定一覧表から、メモリカードの接続スロットＩＤと関連付けられている印刷設定情報を取得する。そして、取得した印刷設定情報をプリントチケットに変換して、該当するメモリカードに保存する。
【００６５】
以上のように本実施形態においては、可搬メディアのポート番号を識別して印刷設定情報と関連付けて、関連付けされた印刷設定情報をワークメモリ１０８に記憶し、記憶されている印刷設定情報に基づいて文書データを印刷するようにした。また、スキャンされた文書データを可搬メディアに保存する際に、プリントチケットも作成するようにした。これにより、可搬性メディアのポート番号によって別々に印刷設定を行うことができるとともに、印刷する文書データのジョブチケットを反映させることができる。したがって、印刷時におけるユーザによる操作の負荷を抑えることができる。
【００６６】
なお、本実施形態においては、第１のＵＳＢメモリカード１５１を第１のＵＳＢメモリスロット１５０に接続し、第２のＵＳＢメモリカード１６１を第２のＵＳＢメモリスロット１６０に直接接続するようにした。一方、可搬性メモリの種類によってケーブルなどを介して接続するようにしてもよい。また、ＵＳＢの代わりにＩＥＥＥ１３９４バスや、シリアルバス、パラレルバスなどを用いてもよい。さらに、このような有線による接続に限らず、可搬性メモリの種類によっては、電波や赤外線や光や超音波などを介して、無線で接続するようにしてもよい。その場合、Bluetoothや無線ＬＡＮなどを用いることもできる。
【００６７】
（本発明に係る他の実施形態）
前述した本発明の実施形態における画像形成装置を構成する各手段、並びに画像形成装置の制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００６８】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００６９】
なお、本発明は、前述した実施形態の機能を実現するソフトウェアのプログラム（実施形態では図３、６、１１、１２に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００７０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００７１】
その場合、プログラムの機能を有していれば、オブジェクトコード、インタプリタにより実行されるプログラム、ＯＳに供給するスクリプトデータ等の形態であってもよい。
【００７２】
プログラムを供給するための記録媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００７３】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００７４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７５】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７６】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７７】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７８】
【図１】本発明の第１の実施形態に係る画像形成装置の内部構成例を示すブロック図である。
【図２】本発明の第１の実施形態における可搬性メモリ種別と関連付けられている印刷設定情報の一例を示す図である。
【図３】本発明の第１の実施形態において、スキャンされたデジタル画像データを可搬性メモリカードに保存するまでの処理手順の一例を示すフローチャートである。
【図４】本発明の第１の実施形態において、操作パネルの表示部に表示される画面例を示す図である。
【図５】本発明の第１の実施形態におけるＸＭＬフォーマットのプリントチケットの一例を示す図である。
【図６】本発明の第１の実施形態において、メモリから読み出してダイレクトに印刷する時の処理手順の一例を示すフローチャートである。
【図７】本発明の第１の実施形態において、操作パネルの表示部に表示される画面例を示す図である。
【図８】本発明の第１の実施形態におけるコンフリクト回避処理手順の一例を示すフローチャートである。
【図９】本発明の第２の実施形態における画像形成装置のメモリスロット及び接続可能なメモリカードの構成例を示すブロック図である。
【図１０】本発明の第２の実施形態における可搬性メモリスロットＩＤと関連付けられている印刷設定情報の一例を示す図である。
【図１１】本発明の第２の実施形態において、スキャンされたデジタル画像データを可搬性メモリカードに保存するまでの処理手順の一例を示すフローチャートである。
【図１２】本発明の第２の実施形態において、メモリから読み出してダイレクトに印刷する時の処理手順の一例を示すフローチャートである。
【符号の説明】
【００７９】
１  通信ネットワーク
１００  画像形成装置
１０１  制御部
１０２  バス
１０３  操作パネル
１０４  画像読取制御部
１０５  画像形成部
１０６  画像メモリ
１０８  ワークメモリ
１０９  通信インタフェース
１２０  ＵＳＢメモリスロット
１２０ａ  ＵＳＢカード制御部
１２１  ＵＳＢメモリカード
１３０  ＳＤメモリスロット
１３０ａ   ＳＤカード制御部
１３１  ＳＤメモリカード
１４０  ＣＦメモリスロット
１４０ａ  ＣＦカード制御部
１４１  ＣＦメモリカード
２００  情報処理装置
３００  スキャナ
【図１】
2008259066.tif 000003
【図２】
2008259066.tif 000004
【図３】
2008259066.tif 000005
【図４】
2008259066.tif 000006
【図５】
2008259066.tif 000007
【図６】
2008259066.tif 000008
【図７】
2008259066.tif 000009
【図８】
2008259066.tif 000010
【図９】
2008259066.tif 000011
【図１０】
2008259066.tif 000012
【図１１】
2008259066.tif 000013
【図１２】
2008259066.tif 000014